(57)【特許請求の範囲】
【請求項１】
進化型基地局ｅＮｏｄｅＢは、受信した、１つの上りアンテナだけがデータを送信するように構成されるユーザ端末である非ポーリング端末により送信されたサウンディング参照信号ＳＲＳに基づいて第１の重み情報を生成することと、
前記ｅＮｏｄｅＢは、前記非ポーリング端末がチャネル状態指示情報の参照信号ＣＳＩ−ＲＳに基づいてチャネル品質情報をフィードバックするように、前記第１の重み情報に応じて前記非ポーリング端末に送信される前記ＣＳＩ−ＲＳを調整することと、
前記ｅＮｏｄｅＢは、前記第１の重み情報および受信した前記非ポーリング端末によりフィードバックされたチャネル品質情報に基づいて第２の重み情報を生成し、前記第２の重み情報に応じて前記非ポーリング端末に送信される下りトラフィックデータを調整することと、を含み、
前記進化型基地局ｅＮｏｄｅＢが、受信した非ポーリング端末により送信されたサウンディング参照信号ＳＲＳに基づいて前記第１の重み情報を生成することは、
前記ｅＮｏｄｅＢは、前記非ポーリング端末のメインアンテナを介して前記非ポーリング端末から送信された前記ＳＲＳに基づいて上りチャネル状態情報を生成することと、
前記ｅＮｏｄｅＢは、前記上りチャネル状態情報に基づいて前記第１の重み情報を生成することと、を含み、
前記上りチャネル状態情報は、Ｈであり、
前記ｅＮｏｄｅＢが、前記上りチャネル状態情報に基づいて前記第１の重み情報を生成することは、
前記ｅＮｏｄｅＢは、前記上りチャネル状態情報Ｈに基づいて前記第１の重み情報をｗとして設定することを含み、
前記ｗは、ｗ＝ＨＨを満し、前記ＨＨは、前記上りチャネル状態情報Ｈの自己共役Ｈｅｒｍｉｔｅ行列であり、又は、前記ｗは、ｗ＝Ｓｖ（ｔｈｅｔａ，ｐｈｉ）Ｈを満し、前記Ｓｖ（ｔｈｅｔａ，ｐｈｉ）Ｈは、前記ｅＮｏｄｅＢによって生成された前記上りチャネル状態情報ＨのステアリングベクトルＳｖ（ｔｈｅｔａ，ｐｈｉ）のＨｅｒｍｉｔｅ行列であり、
前記チャネル品質情報は、プリコーディング行列指示ＰＭＩ情報であり、
前記ｅＮｏｄｅＢが、前記第１の重み情報および受信した前記非ポーリング端末によりフィードバックされたチャネル品質情報に基づいて第２の重み情報を生成し、前記第２の重み情報に応じて前記非ポーリング端末に送信される下りトラフィックデータを調整することは、
前記ｅＮｏｄｅＢは、前記第１の重み情報ｗおよび受信した前記非ポーリング端末によりフィードバックされたＰＭＩ情報に基づいて、下りトラフィックデータを調整する第２の重み情報ｗＰｄｓｃｈを生成することと、
前記ｅＮｏｄｅＢは、前記第２の重み情報ｗＰｄｓｃｈによって前記非ポーリング端末に送信される下りトラフィックデータに重みを付けることと、を含み、
前記ｗＰｄｓｃｈは、
【数１】
0006950001.tif 000023
を満し、
前記Ｍは、前記ｅＮｏｄｅＢにおけるアンテナ数であり、前記ＰｏｒｔＮｕｍｃｓｉ−ｒｓは、前記ＣＳＩ−ＲＳを伝送するポート数であり、前記ＰＭＩｉは、前記非ポーリング端末がｉ番目にフィードバックしたＰＭＩ列ベクトルであり、前記ｉは、正の整数であり、前記
【数２】
0006950001.tif 000024
は、
【数３】
0006950001.tif 000025
の列ベクトルであり、前記
【数４】
0006950001.tif 000026
は、前記
【数５】
0006950001.tif 000027
と前記ＰＭＩｉとのクロネッカーＫｒｏｎｅｃｋｅｒ積であり、前記
【数６】
0006950001.tif 000028
は、前記
【数７】
0006950001.tif 000029
と前記ｗにおいて対応する位置の要素との乗算である、時分割複信ＴＤＤ通信システムのストリーム生成方法。
【請求項２】
前記ｅＮｏｄｅＢが、前記第１の重み情報に応じて前記非ポーリング端末に送信されるＣＳＩ−ＲＳを調整することは、
前記ｅＮｏｄｅＢは、前記第１の重み情報に応じて前記非ポーリング端末に送信されるＣＳＩ−ＲＳに重みを付けることを含む、請求項１記載の方法。
【請求項３】
ＴＤＤ通信システムにおける進化型基地局ｅＮｏｄｅＢに配置される、時分割複信ＴＤＤ通信システムのストリーム生成装置であって、
受信した、１つの上りアンテナだけがデータを送信するように構成されるユーザ端末である非ポーリング端末により送信されたサウンディング参照信号ＳＲＳに基づいて第１の重み情報を生成するように構成される重みモジュールと、
前記非ポーリング端末がチャネル状態指示情報の参照信号ＣＳＩ−ＲＳに基づいてチャネル品質情報をフィードバックするように、前記第１の重み情報に応じて前記非ポーリング端末に送信される前記ＣＳＩ−ＲＳを調整するように構成される第１の調整モジュールと、
前記第１の重み情報および受信した前記非ポーリング端末によりフィードバックされたチャネル品質情報に基づいて第２の重み情報を生成し、前記第２の重み情報に応じて前記非ポーリング端末に送信される下りトラフィックデータを調整するように構成される第２の調整モジュールと、を含み、
前記重みモジュールは、
ユーザ端末である非ポーリング端末のメインアンテナを介して前記非ポーリング端末から送信された前記ＳＲＳに基づいて上りチャネル状態情報を生成し、
前記上りチャネル状態情報に基づいて前記第１の重み情報を生成するように構成され、
前記上りチャネル状態情報は、Ｈであり、
前記重みモジュールは、前記上りチャネル状態情報Ｈに基づいて前記第１の重み情報をｗとして設定し、前記ｗがｗ＝ＨＨを満し、前記ＨＨが前記上りチャネル状態情報Ｈの自己共役Ｈｅｒｍｉｔｅ行列であるように、又は、前記ｗがｗ＝Ｓｖ（ｔｈｅｔａ，ｐｈｉ）Ｈを満し、前記Ｓｖ（ｔｈｅｔａ，ｐｈｉ）Ｈが前記ｅＮｏｄｅＢによって生成された前記上りチャネル状態情報ＨのステアリングベクトルＳｖ（ｔｈｅｔａ，ｐｈｉ）のＨｅｒｍｉｔｅ行列であるように、前記上りチャネル状態情報に基づいて前記第１の重み情報を生成するように構成され、
前記チャネル品質情報は、プリコーディング行列指示ＰＭＩ情報であり、
前記第２の調整モジュールは、
前記第１の重み情報ｗおよび受信した前記非ポーリング端末によりフィードバックされたＰＭＩ情報に基づいて、下りトラフィックデータを調整する第２の重み情報ｗＰｄｓｃｈを生成し、
前記第２の重み情報ｗＰｄｓｃｈによって前記非ポーリング端末に送信された下りトラフィックデータに重みを付けるように構成され、
前記ｗＰｄｓｃｈは、
【数８】
0006950001.tif 000030
を満し、
前記Ｍは、前記ｅＮｏｄｅＢにおけるアンテナ数であり、前記ＰｏｒｔＮｕｍｃｓｉ−ｒｓは、前記ＣＳＩ−ＲＳを伝送するポート数であり、前記ＰＭＩｉは、前記非ポーリング端末がｉ番目にフィードバックしたＰＭＩ列ベクトルであり、前記ｉは、正の整数であり、前記
【数９】
0006950001.tif 000031
は、
【数１０】
0006950001.tif 000032
の列ベクトルであり、前記
【数１１】
0006950001.tif 000033
は、前記
【数１２】
0006950001.tif 000034
と前記ＰＭＩｉとのクロネッカーＫｒｏｎｅｃｋｅｒ積であり、前記
【数１３】
0006950001.tif 000035
は、前記
【数１４】
0006950001.tif 000036
と前記ｗにおいて対応する位置の要素との乗算である、時分割複信ＴＤＤ通信システムのストリーム生成装置。
【請求項４】
前記第１の調整モジュールは、
前記第１の重み情報に応じて前記非ポーリング端末に送信されたＣＳＩ−ＲＳに重みを付けるように構成される、請求項３に記載の装置。
【請求項５】
１つまたは複数のプログラムを記憶し、前記１つまたは複数のプログラムは、請求項１〜２のいずれか１項に記載の時分割複信ＴＤＤ通信システムのストリーム生成方法を実現するように１つまたは複数のプロセッサにより実行される、コンピュータ可読記憶媒体。
【発明の詳細な説明】
【技術分野】
【０００１】
本発明は、通信技術の分野に関し、例えば、ＴＤＤ通信システムのストリーム生成方法、装置およびコンピュータ可読記憶媒体に関する。
【背景技術】
【０００２】
多重アンテナ技術は、無線通信の分野における大きなブレークスルーであり、多重入力多重出力（Ｍｕｌｔｉｐｌｅ−Ｉｎｐｕｔ  Ｍｕｌｔｉｐｌｅ−Ｏｕｔｐｕｔ、ＭＩＭＯ）技術とも呼ばれる。ＭＩＭＯ技術は、帯域幅を増加させない場合に通信システムの容量とスペクトル利用率を向上させながら、システム全体の送信電力を増加させずにチャネルの信頼性を向上させ、ビット誤り率を低減できる、新世代のモバイル通信システムに適用される技術である。
【０００３】
ＭＩＭＯシステムでは、送信端と受信端の両方で全て多重アンテナを使用し、ＭＩＭＯ技術には、ダイバーシティ技術および多重化技術が含まれる。ダイバーシティ技術では、信号の複数のコビーを使用して、異なるフェージングを経験して受信端に到達し、すべてのコピーが同時に深いフェージング状態になる確率は低いため、システムの信頼性が向上する。多重化技術では、チャネルの自由度を利用して様々な信号を送信することにより、チャネル容量を増加し、システムの性能を向上させる。多重化技術には、シングルユーザ多重入力多重出力（Ｓｉｎｇｌｅ−Ｕｓｅｒ  Ｍｕｌｔｉｐｌｅ−Ｉｎｐｕｔ  Ｍｕｌｔｉｐｌｅ−Ｏｕｔｐｕｔ、ＳＵ−ＭＩＭＯ）およびマルチユーザ多重入力多重出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＭＵ−ＭＩＭＯ）が含まれる。ＳＵ−ＭＩＭＯとは、シングルユーザにマルチストリームデータを送信することであり、ＭＵ−ＭＩＭＯとは、異なるユーザの間で多重アンテナ技術によるマルチストリーム信号を同時に送信することである。
【０００４】
多重化技術はユーザ端末（Ｕｓｅｒ  Ｅｑｕｉｐｍｅｎｔ、ＵＥ）の容量を大幅に増加させることが可能であるが、受信端および送信端でのアンテナ数に要求がある。例えば、上りシングルアンテナ送信だけをサポートする端末は、非ポーリング端末であり、上りデュアルアンテナ送信をサポートする端末は、ポーリング端末である。したがって、クローズループ・プリコーディング技術またはオープンループ・プリコーディング技術に関わらず、いずれも制限がある。非ポーリング端末のクローズループ・プリコーディング技術は、ＵＥの方位を知ることができないことにより制限され、ワイドビームカバレッジしか使用できず、フィードバックされたチャネルのプリコーディング行列指示（Ｐｒｅ−ｃｏｄｉｎｇ  Ｍａｔｒｉｘ  Ｉｎｄｉｃａｔｏｒ、ＰＭＩ）情報もワイドビームと合致し、アレイアンテナのフォーミングゲイン（Ｆｏｒｍｉｎｇ  ｇａｉｎ）がない。しかし、オープンループ技術は一般に、チャネルの上りリンクと下りリンクの相反定理を利用する必要があり、非ポーリング端末は、上りリンクを介してメインセットのチャネル状態しか取得できないため、下りＳＵ−ＭＩＭＯをサポートできない。
【発明の概要】
【０００５】
本発明は、進化型基地局がクローズループ・プリコーディングに基づいてアレイアンテナのフォーミングゲインを設定できないか、またはオープンループ・プリコーディングに基づいて下りＳＵ−ＭＩＭＯを実行できないという問題を克服する、ＴＤＤ通信システムのストリーム生成方法、装置およびコンピュータ可読記憶媒体を提供する。
【０００６】
本発明は、時分割複信ＴＤＤ通信システムのストリーム生成方法を提供し、この方法は、
進化型基地局ｅＮｏｄｅＢは、受信した、１つの上りアンテナだけがデータを送信するように構成されるユーザ端末である非ポーリング端末により送信されたサウンディング参照信号ＳＲＳに基づいて第１の重み情報を生成することと、
前記ｅＮｏｄｅＢは、前記非ポーリング端末がチャネル状態指示情報の参照信号ＣＳＩ−ＲＳに基づいてチャネル品質情報をフィードバックするように、前記第１の重み情報に応じて前記非ポーリング端末に送信される前記ＣＳＩ−ＲＳを調整することと、
前記ｅＮｏｄｅＢは、前記第１の重み情報および受信した前記非ポーリング端末によりフィードバックされたチャネル品質情報に基づいて第２の重み情報を生成し、前記第２の重み情報に応じて前記非ポーリング端末に送信される下りトラフィックデータを調整することと、を含む。
【０００７】
本発明は、ＴＤＤ通信システムにおける進化型基地局ｅＮｏｄｅＢに配置される、時分割複信ＴＤＤ通信システムのストリーム生成装置をさらに提供し、前記装置は、
受信した、１つの上りアンテナだけがデータを送信するように構成されるユーザ端末である非ポーリング端末により送信されたサウンディング参照信号ＳＲＳに基づいて第１の重み情報を生成するように構成される重みモジュールと、
前記非ポーリング端末がチャネル状態指示情報の参照信号ＣＳＩ−ＲＳに基づいてチャネル品質情報をフィードバックするように、前記第１の重み情報に応じて前記非ポーリング端末に送信される前記ＣＳＩ−ＲＳを調整するように構成される第１の調整モジュールと、
前記第１の重み情報および受信した前記非ポーリング端末によりフィードバックされたチャネル品質情報に基づいて第２の重み情報を生成し、前記第２の重み情報に応じて前記非ポーリング端末に送信される下りトラフィックデータを調整するように構成される第２の調整モジュールと、を含む。
【０００８】
本発明は、コンピュータ可読記憶媒体をさらに提供し、前記コンピュータ可読記憶媒体は、１つまたは複数のプログラムを記憶し、前記１つまたは複数のプログラムは、上記の時分割複信ＴＤＤ通信システムのストリーム生成方法を実現するように１つまたは複数のプロセッサにより実行される。
【０００９】
本発明に係るＴＤＤ通信システムのストリーム生成方法、装置およびコンピュータ可読記憶媒体は、非ポーリング端末に基づいて、フォーミングＣＳＩ−ＲＳを採用し、オープンループ技術とクローズループ技術とを組み合わせて、高速で正確なフォーミングＳＵ−ＭＩＭＯを実現し、ポーリング端末のＳＵ−ＭＩＭＯ性能に近づくことができる。
【図面の簡単な説明】
【００１０】
【図１】本発明の一実施例に係るＴＤＤ通信システムのストリーム生成方法のフローチャートである。
【図２】本発明の別の実施例に係るＴＤＤ通信システムのストリーム生成方法のフローチャートである。
【図３】本発明の一実施例に係るＴＤＤ通信システムのストリーム生成装置の概略構造図である。
【図４】本発明の別の実施例に係るＴＤＤ通信システムのストリーム生成方法のフローチャートである。
【発明を実施するための形態】
【００１１】
以下、意図する目的を達成するための本発明の技術的手段および効果をさらに説明するために、図面および実施形態を参考しながら本発明について説明する。
【００１２】
本発明の第１の実施例は、ＴＤＤ通信システムに適用されるＴＤＤ通信システムのストリーム生成方法を提供し、図１に示すように、この方法は以下のステップを含む。
【００１３】
ステップ１０１では、進化型基地局（ＥｖｏｌｖｅｄＮｏｄｅＢ、ｅＮｏｄｅＢ）は、受信した非ポーリング端末により送信されたサウンディング参照信号（ＳｏｕｎｄｉｎｇＲｅｆｅｒｅｎｃｅＳｉｇｎａｌ、ＳＲＳ）に基づいて第１の重み情報を生成する。
【００１４】
ただし、非ポーリング端末は、１つの上りアンテナだけがデータを送信するユーザ端末である。
【００１５】
一実施例において、ステップ１０１は、
ｅＮｏｄｅＢは、受信したメインアンテナを介して非ポーリング端末により送信されたＳＲＳに基づいて上りチャネル状態情報を生成することと、
ｅＮｏｄｅＢは、上りチャネル状態情報に基づいて第１の重み情報を生成することと、を含む。
【００１６】
ステップ１０２では、ｅＮｏｄｅＢは、非ポーリング端末がチャネル状態指示情報の参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ、ＣＳＩ−ＲＳ）に基づいてチャネル品質情報をフィードバックするように、第１の重み情報に応じて非ポーリング端末に送信されるＣＳＩ−ＲＳを調整する。
【００１７】
一実施例において、ステップ１０２は、ｅＮｏｄｅＢは、非ポーリング端末がＣＳＩ−ＲＳに基づいてチャネル品質情報をフィードバックするように、第１の重み情報に応じて非ポーリング端末に送信されるＣＳＩ−ＲＳに重みを付けることを含む。
【００１８】
一実施例において、チャネル品質情報は、ＰＭＩ情報などを含むが、これらに限定されるものではない。
【００１９】
ステップ１０３では、ｅＮｏｄｅＢは、第１の重み情報および受信した非ポーリング端末によりフィードバックされたチャネル品質情報に基づいて第２の重み情報を生成し、第２の重み情報に応じて非ポーリング端末に送信される下りトラフィックデータを調整する。
【００２０】
一実施例において、ステップ１０３は、
ｅＮｏｄｅＢは、第１の重み情報および受信した非ポーリング端末によりフィードバックされたＰＭＩ情報に基づいて、下りトラフィックデータを調整する第２の重み情報を生成することと、
ｅＮｏｄｅＢは、第２の重み情報に応じて非ポーリング端末に送信される下りトラフィックデータに重みを付けることと、を含む。
【００２１】
本実施例に係るＴＤＤ通信システムのストリーム生成方法によれば、非ポーリング端末に基づいて、フォーミングＣＳＩ−ＲＳを採用し、オープンループ技術とクローズループ技術とを組み合わせて、高速で正確なフォーミングＳＵ−ＭＩＭＯを実現し、非ポーリング端末のＳＵ−ＭＩＭＯ性能を、ポーリング端末のＳＵ−ＭＩＭＯ性能に近づくように効果的に向上させる。
【００２２】
本発明の第２の実施例は、ＴＤＤ通信システムに適用されるＴＤＤ通信システムのストリーム生成方法を提供し、図２に示すように、この方法は以下のステップを含む。
【００２３】
ステップ２０１では、ｅＮｏｄｅＢは、受信した非ポーリング端末により送信されたＳＲＳに基づいて第１の重み情報を生成する。
【００２４】
ただし、非ポーリング端末は、１つの上りアンテナだけがデータを送信するユーザ端末である。
【００２５】
一実施例において、ステップ２０１は、
ｅＮｏｄｅＢは、受信したメインアンテナを介して非ポーリング端末により送信されたＳＲＳに基づいて上りチャネル状態情報を生成することを含む。
【００２６】
一実施例において、上りチャネル状態情報は、Ｈであり、
ｅＮｏｄｅＢは、上りチャネル状態情報Ｈに基づいて第１の重み情報をｗとして設定し、
ｗは、ｗ＝ＨＨを満し、ＨＨは上りチャネル状態情報Ｈの自己共役（Ｈｅｒｍｉｔｅ）行列である。
【００２７】
一実施例において、ステップ２０１は、
ｅＮｏｄｅＢは、受信したメインアンテナを介して非ポーリング端末により送信されたＳＲＳに基づいて上りチャネル状態情報を生成し、上りチャネル状態情報はＨであることと、
ＮｏｄｅＢは、上りチャネル状態情報Ｈに基づいて上りチャネル状態情報ＨのステアリングベクトルＳｖ（ｔｈｅｔａ，ｐｈｉ）を生成し、第１の重み情報をｗとして設定することと、を含み、
ただし、ｗはｗ＝Ｓｖ（ｔｈｅｔａ，ｐｈｉ）Ｈを満し、Ｓｖ（ｔｈｅｔａ，ｐｈｉ）Ｈは、ステアリングベクトルＳｖ（ｔｈｅｔａ，ｐｈｉ）のＨｅｒｍｉｔｅ行列である。
【００２８】
ステップ２０２では、ｅＮｏｄｅＢは、非ポーリング端末がＣＳＩ−ＲＳに基づいてチャネル品質情報をフィードバックするように、第１の重み情報に応じて非ポーリング端末に送信されるＣＳＩ−ＲＳを調整する。
【００２９】
一実施例において、ステップ２０２は、
ｅＮｏｄｅＢは、非ポーリング端末がＣＳＩ−ＲＳに基づいてチャネル品質情報をフィードバックするように、第１の重み情報に応じて非ポーリング端末に送信されたＣＳＩ−ＲＳに重みを付ける。
【００３０】
一実施例において、チャネル品質情報は、ＰＭＩ情報などを含むが、これに限定されるものではない。
【００３１】
ステップ２０３では、ｅＮｏｄｅＢは、第１の重み情報および非ポーリング端末によりフィードバックされたチャネル品質情報に基づいて第２の重み情報を生成し、第２の重み情報に応じて非ポーリング端末に送信される下りトラフィックデータを調整する。
【００３２】
一実施例において、ステップ２０３は、
ｅＮｏｄｅＢは、第１の重み情報ｗおよび受信した非ポーリング端末によりフィードバックされたＰＭＩ情報に基づいて、下りトラフィックデータを調整する第２の重み情報ｗＰｄｓｃｈを生成することと、
ｅＮｏｄｅＢは、第２の重み情報ｗＰｄｓｃｈによって非ポーリング端末に送信される下りトラフィックデータに重みを付けることと、を含み、
ｗＰｄｓｃｈは、
【数１】
0006950001.tif 000002
を満し、
式中、Ｍは、ｅＮｏｄｅＢにおけるアンテナ数であり、
ＰｏｒｔＮｕｍｃｓｉ−ｒｓは、ＣＳＩ−ＲＳを伝送するポート数であり、
ＰＭＩｉは、非ポーリング端末がｉ番目にフィードバックしたＰＭＩ列ベクトルであり、ｉは正の整数であり、
【数２】
0006950001.tif 000003
は、
【数３】
0006950001.tif 000004
の列ベクトルであり、
【数４】
0006950001.tif 000005
は、
【数５】
0006950001.tif 000006
とＰＭＩｉとのクロネッカーＫｒｏｎｅｃｋｅｒ積であり、
【数６】
0006950001.tif 000007
は、
【数７】
0006950001.tif 000008
行列とｗ行列において対応する位置の要素との乗算である。
【００３３】
本発明の第２の実施例に係るＴＤＤ通信システムのストリーム生成方法によれば、非ポーリング端末に基づいて、フォーミングＣＳＩ−ＲＳを採用し、オープンループ技術とクローズループ技術とを組み合わせて、高速で正確なフォーミングＳＵ−ＭＩＭＯを実現し、非ポーリング端末のＳＵ−ＭＩＭＯ性能を、ポーリング端末のＳＵ−ＭＩＭＯ性能に近づくように効果的に向上させる。
【００３４】
本発明の第３の実施例は、ＴＤＤ通信システムにおけるｅＮｏｄｅＢに配置されるＴＤＤ通信システムのストリーム生成装置を提供し、図３に示すように、この装置は、以下の構成部分を含む。
【００３５】
重みモジュール１００は、受信した非ポーリング端末により送信されたＳＲＳに基づいて第１の重み情報を生成するように構成される。
【００３６】
ただし、非ポーリング端末は、１つの上りアンテナだけがデータを送信するユーザ端末である。
【００３７】
一実施例において、重みモジュール１００は、
受信したメインアンテナを介して非ポーリング端末により送信されたＳＲＳに基づいて上りチャネル状態情報を生成し、
上りチャネル状態情報に基づいて第１の重み情報を生成するように構成される。
【００３８】
第１の調整モジュール２００は、非ポーリング端末がＣＳＩ−ＲＳに基づいてチャネル品質情報をフィードバックするように、第１の重み情報に応じて非ポーリング端末に送信されるＣＳＩ−ＲＳを調整するように構成される。
【００３９】
一実施例において、第１の調整モジュール２００は、
非ポーリング端末がＣＳＩ−ＲＳに基づいてチャネル品質情報をフィードバックするように、第１の重み情報に応じて非ポーリング端末に送信されるＣＳＩ−ＲＳに重みを付けるように構成される。
【００４０】
一実施例において、チャネル品質情報は、ＰＭＩ情報などを含むが、これに限定されるものではない。
【００４１】
第２の調整モジュール３００は、第１の重み情報および受信した非ポーリング端末によりフィードバックされたチャネル品質情報に基づいて第２の重み情報を生成し、第２の重み情報に応じて非ポーリング端末に送信される下りトラフィックデータを調整するように構成される。
【００４２】
一実施例において、第２の調整モジュール３００は、
第１の重み情報および受信した非ポーリング端末によりフィードバックされたＰＭＩ情報に基づいて、下りトラフィックデータを調整する第２の重み情報を生成し、
第２の重み情報に応じて非ポーリング端末に送信される下りトラフィックデータに重みを付けるように構成される。
【００４３】
本発明の第３の実施例に係るＴＤＤ通信システムのストリーム生成装置によれば、非ポーリング端末に基づいて、フォーミングＣＳＩ−ＲＳを採用し、オープンループ技術とクローズループ技術とを組み合わせて、高速で正確なフォーミングＳＵ−ＭＩＭＯを実現し、非ポーリング端末のＳＵ−ＭＩＭＯ性能を、ポーリング端末のＳＵ−ＭＩＭＯ性能に近づくように効果的に向上させる。
【００４４】
本発明の第４の実施例は、ＴＤＤ通信システムにおけるｅＮｏｄｅＢに配置されるＴＤＤ通信システムのストリーム生成装置を提供し、本実施例に係る装置は、図３を参照してもよく、この装置は、以下の構成部分を含む。
【００４５】
重みモジュール１００は、受信した非ポーリング端末により送信されたＳＲＳに基づいて第１の重み情報を生成するように構成される。
【００４６】
ただし、非ポーリング端末は、１つの上りアンテナだけがデータを送信するユーザ端末である。
【００４７】
一実施例において、重みモジュール１００は、
受信したメインアンテナを介して非ポーリング端末により送信されたＳＲＳに基づいて上りチャネル状態情報を生成し、上りチャネル状態情報はＨであり、
上りチャネル状態情報Ｈに基づいて第１の重み情報をｗとして設定し、
ｗは、ｗ＝ＨＨを満し、ＨＨは、上りチャネル状態情報ＨのＨｅｒｍｉｔｅ行列であるように構成される。
【００４８】
一実施例において、重みモジュール１００は、
受信したメインアンテナを介して非ポーリング端末により送信されたＳＲＳに基づいて上りチャネル状態情報を生成し、上りチャネル状態情報はＨであり、
上りチャネル状態情報Ｈに基づいて上りチャネル状態情報ＨのステアリングベクトルＳｖ（ｔｈｅｔａ，ｐｈｉ）を生成し、第１の重み情報をｗとして設定し、
ｗは、ｗ＝Ｓｖ（ｔｈｅｔａ，ｐｈｉ）Ｈを満し、Ｓｖ（ｔｈｅｔａ，ｐｈｉ）Ｈは、ステアリングベクトルＳｖ（ｔｈｅｔａ，ｐｈｉ）のＨｅｒｍｉｔｅ行列であるように構成される。
【００４９】
第１の調整モジュール２００は、非ポーリング端末がＣＳＩ−ＲＳに基づいてチャネル品質情報をフィードバックするように、第１の重み情報に応じて非ポーリング端末に送信されるＣＳＩ−ＲＳを調整するように構成される。
【００５０】
一実施例において、第１の調整モジュール２００は、
非ポーリング端末がＣＳＩ−ＲＳに基づいてチャネル品質情報をフィードバックするように、第１の重み情報に応じて非ポーリング端末に送信されるＣＳＩ−ＲＳに重みを付けるように構成される。
【００５１】
一実施例において、チャネル品質情報は、ＰＭＩ情報などを含むが、これに限定されるものではない。
【００５２】
第２の調整モジュール３００は、第１の重み情報および受信した非ポーリング端末によりフィードバックされたチャネル品質情報に基づいて第２の重み情報を生成し、第２の重み情報に応じて非ポーリング端末に送信される下りトラフィックデータを調整するように構成される。
【００５３】
一実施例において、第２の調整モジュール３００は、
第１の重み情報ｗおよび受信した非ポーリング端末によりフィードバックされたＰＭＩ情報に基づいて、下りトラフィックデータを調整する第２の重み情報ｗＰｄｓｃｈを生成し、
第２の重み情報ｗＰｄｓｃｈに応じて非ポーリング端末に送信される下りトラフィックデータに重みを付け、
ｗＰｄｓｃｈは、
【数８】
0006950001.tif 000009
を満し、
Ｍは、ｅＮｏｄｅＢにおけるアンテナ数であり、
ＰｏｒｔＮｕｍｃｓｉ−ｒｓは、ＣＳＩ−ＲＳを伝送するポート数であり、
ＰＭＩｉは、非ポーリング端末がｉ番目にフィードバックしたＰＭＩ列ベクトルであり、ｉは正の整数であり、
【数９】
0006950001.tif 000010
は、
【数１０】
0006950001.tif 000011
の列ベクトルであり、
【数１１】
0006950001.tif 000012
は、
【数１２】
0006950001.tif 000013
とＰＭＩｉとのクロネッカーＫｒｏｎｅｃｋｅｒ積であり、
【数１３】
0006950001.tif 000014
は、
【数１４】
0006950001.tif 000015
行列とｗ行列において対応する位置の要素との乗算であるように構成される。
【００５４】
本発明の第４の実施例に係るＴＤＤ通信システムのストリーム生成装置によれば、非ポーリング端末に基づいて、フォーミングＣＳＩ−ＲＳを採用し、オープンループ技術とクローズループ技術とを組み合わせて、高速で正確なフォーミングＳＵ−ＭＩＭＯを実現し、非ポーリング端末のＳＵ−ＭＩＭＯ性能を、ポーリング端末のＳＵ−ＭＩＭＯ性能に近づくように効果的に向上させる。
【００５５】
本発明の第５の実施例は、ＴＤＤ通信システムに適用されるＴＤＤ通信システムのストリーム生成方法を提供し、図４に示すように、この方法は以下のステップを含む。
【００５６】
ステップ５０１では、ｅＮｏｄｅＢは、受信したメインアンテナを介して非ポーリング端末により送信されたＳＲＳに基づいて上りチャネル状態情報Ｈを生成する。
【００５７】
ステップ５０２では、ｅＮｏｄｅＢは、上りチャネル状態情報Ｈに基づいて第１の重み情報をｗとして設定する。
【００５８】
一実施例において、ｗは、ｗ＝ＨＨを満し、ＨＨは、上りチャネル状態情報ＨのＨｅｒｍｉｔｅ行列であり、または、ｗは、ｗ＝Ｓｖ（ｔｈｅｔａ，ｐｈｉ）Ｈを満し、
Ｓｖ（ｔｈｅｔａ，ｐｈｉ）は、ｅＮｏｄｅＢが上りチャネル状態情報Ｈに基づいて生成した、上りチャネル状態情報Ｈのステアリングベクトルであり、Ｓｖ（ｔｈｅｔａ，ｐｈｉ）Ｈは、ステアリングベクトルＳｖ（ｔｈｅｔａ，ｐｈｉ）のＨｅｒｍｉｔｅ行列である。
【００５９】
ステップ５０３では、ｅＮｏｄｅＢは、ＣＳＩ−ＲＳのｐｏｒｔ１５をＭ／２個の奇数番号のアンテナにマッピングし、ｐｏｒｔ１６をＭ／２個の偶数番号のアンテナにマッピングし、
ｅＮｏｄｅＢは、第１の重み情報ｗの奇数次元によってｐｏｒｔ１５により伝送されたＣＳＩ−ＲＳに重みを付け、第１の重み情報ｗの偶数次元によってｐｏｒｔ１６により伝送されたＣＳＩ−ＲＳに重みを付け、
ｅＮｏｄｅＢは、非ポーリング端末がＣＳＩ−ＲＳに基づいてＰＭＩ情報をフィードバックするように、ＣＳＩ−ＲＳを非ポーリング端末に送信する。
【００６０】
ステップ５０４では、ｅＮｏｄｅＢは、第１の重み情報ｗおよび受信した非ポーリング端末によりフィードバックされたＰＭＩ情報に基づいて、下りトラフィックデータを調整する第２の重み情報ｗＰｄｓｃｈを生成し、
ｅＮｏｄｅＢは、第２の重み情報ｗＰｄｓｃｈに応じて非ポーリング端末に送信される下りトラフィックデータに重みを付ける。
【００６１】
ただし、ｗＰｄｓｃｈは、
【数１５】
0006950001.tif 000016
を満し、
Ｍは、ｅＮｏｄｅＢにおけるアンテナ数であり、
ＰｏｒｔＮｕｍｃｓｉ−ｒｓは、ＣＳＩ−ＲＳを伝送するポート数であり、
ＰＭＩｉは、非ポーリング端末がｉ番目にフィードバックしたＰＭＩ列ベクトルであり、ｉは正の整数であり、
【数１６】
0006950001.tif 000017
は、
【数１７】
0006950001.tif 000018
の列ベクトルであり、
【数１８】
0006950001.tif 000019
は、
【数１９】
0006950001.tif 000020
とＰＭＩｉとのクロネッカーＫｒｏｎｅｃｋｅｒ積であり、
【数２０】
0006950001.tif 000021
は、
【数２１】
0006950001.tif 000022
行列とｗ行列において対応する位置の要素との乗算である。
【００６２】
本発明の第５の実施例に係るＴＤＤ通信システムのストリーム生成方法によれば、非ポーリング端末に基づいて、フォーミングＣＳＩ−ＲＳを採用し、オープンループ技術とクローズループ技術とを組み合わせて、高速で正確なフォーミングＳＵ−ＭＩＭＯを実現し、非ポーリング端末のＳＵ−ＭＩＭＯ性能を、ポーリング端末のＳＵ−ＭＩＭＯ性能に近づくように効果的に向上させる。
【００６３】
本発明の第６の実施例は、コンピュータ可読記憶媒体を提供する。
【００６４】
コンピュータ記憶媒体は、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ、または当技術分野で知られている任意の他の形態の記憶媒体であってもよい。
【００６５】
コンピュータ可読記憶媒体は、１つまたは複数のプログラムを記憶し、前記１つまたは複数のプログラムは、本発明の第１の実施例、本発明の第２の実施例、または本発明の第５の実施例中のいずれかのステップの一部または全部を実現するように１つまたは複数のプロセッサにより実行される。
【００６６】
具体的な実施形態の説明によれば、意図する目的を達成するための本発明の技術的手段および効果をより深く理解することが可能であるが、図面は、単に参考と説明を目的とするものに過ぎず、本発明を限定するものではない。
【産業上の利用可能性】
【００６７】
本発明は、非ポーリング端末に基づいて、フォーミングＣＳＩ−ＲＳを採用し、オープンループ技術とクローズループ技術とを組み合わせて、高速で正確なフォーミングＳＵ−ＭＩＭＯを実現し、非ポーリング端末のＳＵ−ＭＩＭＯ性能を、ポーリング端末のＳＵ−ＭＩＭＯ性能に近づくように効果的に向上させる。
【図１】
0006950001.tif 000037
【図２】
0006950001.tif 000038
【図３】
0006950001.tif 000039
【図４】
0006950001.tif 000040